(57)【要約】【課題】指針キャップを文字板と異系色にする場合、容易に指針キャップを適度な大きさに見せることができる指針キャップを提供する。【解決手段】指針キャップ１１は、キャップ保護色部１１２とキャップ非保護色部１１１とを含む。キャップ保護色部１１２は、指針キャップ１１における最外周部を含む所定範囲であって、文字板部材２のベース色に対して保護色で形成されている。キャップ保護色部１１２は、ドライバの視点から、略円環状に見えるように形成されている。一方、キャップ非保護色部１１１は、キャップ保護色部１１２よりも回転軸により近接した、指針キャップ１１における所定範囲であって、文字板部材２のベース色に対して非保護色で形成されている。キャップ非保護色部１１１は、ドライバの視点から、キャップ保護色部１１２に囲まれて略円形状に見えるように形成されている。【選択図】図１
2006242879.tif 000002
【特許請求の範囲】
【請求項１】
所定のベース色の文字板上を回動する指針の回転軸の周辺を覆うように取り付けられる指針キャップであって、
前記指針キャップにおける最外周部を含む所定範囲であって、前記ベース色に対して保護色で形成されたキャップ保護色部と、
前記キャップ保護色部よりも前記回転軸に近接した、前記指針キャップにおける所定範囲であって、前記ベース色に対して非保護色で形成されたキャップ非保護色部と、
を含むことを特徴とする指針キャップ。
【請求項２】
請求項１記載の指針キャップにおいて、
前記キャップ保護色部は、
前記指針の前方の視点から、略円環状に見えるように形成される、
ことを特徴とする指針キャップ。
【発明の詳細な説明】
【技術分野】
【０００１】
本発明は、所定のベース色の文字板上を回動する指針の回転軸の周辺を覆うように取り付けられる指針キャップに関する。
【背景技術】
【０００２】
周知のように、車両等においては、車速やエンジン回転数等を指針にて指示するアナログ式計器が搭載されている。図７は、従来のこの種のアナログ式計器を示す正面図である。図８は、図７の計器のバリエーションとして、想定されるアナログ式計器を示す正面図である。
【０００３】
図７に示すように、この種のアナログ式計器では、各センサによる計測値に応じてモータが所定量だけ回転し、モータの回転軸に取り付けられた指針１′が文字板２′上を回動して、文字板２′上の所定目盛り２１′、２２′を指示する。文字板２′のベース色は一般的に黒色であり、目盛り２１′、２２′等が中抜き形成されている。
【０００４】
指針１′は、導光性のある指針指示部１２′、樹脂性の回転軸部及び指針キャップ１１′を含んで構成される。指針指示部１２′は、先細り形状であり、その下面には指示部１２′の光輝色に対応するホットスタンプ層が形成されている。すなわち、指示部１２′は、ホットスタンプ層に依存する色調、例えば赤色系で光輝する。
【０００５】
指針キャップ１１′は、下記特許文献１にも示されるように、回転軸の周辺を覆うように取り付けられる。詳しくは、指針キャップ１１′は、回転軸の周辺に配置される、バランサ、指針指示部の基端の反射部、受光部や指針袴等を覆うように取り付けられる。指針キャップ１１′は、一般的に、文字板２′のベース色と同系色例えば黒色の樹脂製である。
【０００６】
ところで、昨今、ユーザーの要望も多様化する傾向にあり、例えば、図８のアナログ式計器に示すように、文字板２′のベース色とは異系色の指針キャップ１１″の指針１″を擁する計器が求められることもある。このような指針１″を擁する計器は、意匠的な斬新さに加えて、指針軸が明確になるため、指針回動における安定感が向上して視認性が向上するという効果も予想される。
【特許文献１】特開平１０−３０９４２号公報
【発明の開示】
【発明が解決しようとする課題】
【０００７】
ところが、上記指針キャップ１１″は、上述のように、回転軸の周辺に配置される、バランサ、指針指示部の基端の反射部、受光部や指針袴等の多くの構成要素を覆い隠す必要があるので、小型化が困難である。すなわち、指針キャップ１１″を文字板２′と異系色にした場合、指針キャップ１１″の大きさが目立ちすぎて、目盛り２１′、２２′が相対的に小さくなり、指示値の視認性が低下する可能性も考えられる。また、指針キャップ１１″の大きさが目立ちすぎることは意匠的にも好ましくない。要するに、指針キャップ１１″を文字板２′と異系色にする場合には、指針キャップ１１″を適度な大きさに見せることが、意匠性及び視認性の観点から好ましい。
【０００８】
よって本発明は、上述した現状に鑑み、指針キャップを文字板と異系色にする場合、容易に指針キャップを適度な大きさに見せることができる指針キャップを提供することを課題としている。
【課題を解決するための手段】
【０００９】
上記課題を解決するためになされた請求項１記載の指針キャップは、所定のベース色の文字板上を回動する指針の回転軸の周辺を覆うように取り付けられる指針キャップであって、前記指針キャップにおける最外周部を含む所定範囲であって、前記ベース色に対して保護色で形成されたキャップ保護色部と、前記キャップ保護色部よりも前記回転軸に近接した、前記指針キャップにおける所定範囲であって、前記ベース色に対して非保護色で形成されたキャップ非保護色部と、を含むことを特徴とする。
【００１０】
請求項１記載の発明によれば、指針キャップにおける最外周部を含む所定範囲である部位を文字板のベース色に対して保護色で形成し、これよりも回転軸により近接した指針キャップにおける所定範囲を、文字板のベース色に対して非保護色で形成する。よって、保護色で形成された部位が文字板の一部のようにみえて、指針キャップが実際の大きさよりも小さく視認される。
【００１１】
上記課題を解決するためになされた請求項２記載の指針キャップは、請求項１記載の指針キャップにおいて、前記キャップ保護色部は、前記指針の前方の視点から、略円環状に見えるように形成される、ことを特徴とする。
【００１２】
請求項２記載の発明によれば、キャップ保護色部は、指針の前方の視点から略円環状に見えるように形成される。よって、指針の回動にともなう、文字板に隣接するキャップ保護色部の変化はほとんど認められることはない。
【発明の効果】
【００１３】
請求項１記載の発明によれば、指針キャップにおける最外周部を含む所定範囲である部位を文字板のベース色に対して保護色で形成し、これよりも回転軸により近接した指針キャップにおける所定範囲を、文字板のベース色に対して非保護色で形成する。よって、保護色で形成された部位が文字板の一部のようにみえて、指針キャップが実際の大きさよりも小さく視認される。すなわち、指針キャップを文字板と異系色にする場合、付加部材なし且つ少ない付加工数で容易に、指針キャップを適度な大きさに見せることが可能になる。したがって、指針キャップを文字板と異系色にする場合、容易に所定の意匠性及び視認性を満足させることもできる。
【００１４】
請求項２記載の発明によれば、キャップ保護色部は、指針の前方の視点から略円環状に見えるように形成される。よって、指針の回動にともなう、文字板に隣接するキャップ保護色部の変化はほとんど認められることはない。したがって、より精巧に、指針キャップを実際の大きさよりも小さく視認させることができる。
【発明を実施するための最良の形態】
【００１５】
以下、本発明の実施の形態を図面に基づいて説明する。図１は、本発明の一実施形態に係る指針キャップを擁するアナログ式計器を示す斜視図である。図２（Ａ）及び図２（Ｂ）はそれぞれ、本発明の一実施形態に係る指針キャップの正面図及び側面図である。図３は、図１のアナログ式計器の正面図である。
【００１６】
図１に示すように、実施形態の指針キャップを擁するアナログ式計器では、各センサによる計測値に応じてモータ（不図示）が所定量だけ回転し、モータの回転軸に取り付けられた指針１が文字板部材２上を回動して、文字板部材２に形成された所定の目盛り２１、２２を指示する。文字板部材２のベース色は黒色であり、数字で構成される目盛り２２等が中抜き形成されている。なお、ここでは目盛り２１が形成されている円環部は、目盛り２２が形成されている部位とは白黒反転されているが、図７、図８で示した従来の文字板のように、目盛り２１及び２２を同様に中抜き形成して文字板部材２を形成してもよい。
【００１７】
図１及び図２において、指針１は、樹脂性の指針指示部１２、回転軸部（不図示）及び指針キャップ１１を含んで構成される。指針指示部１２は、先細り形状であり、無色透明で導光性があり、その下面には指示部１２の光輝色に対応する例えば赤色系のホットスタンプ層１２１が形成されている。
【００１８】
指針キャップ１１は、回転軸の周辺に配置される、バランサ、指針指示部の基端の反射部、受光部や指針袴（いずれも不図示であるが周知のもの）等を覆い隠すように取り付けられる。指針キャップ１１は、キャップ非保護色部１１１及びキャップ保護色部１１２から構成される。キャップ非保護色部１１１及びキャップ保護色部１１２は、実際には、お椀を伏せたような形状の指針キャップ１１を色分けしたものである。
【００１９】
キャップ保護色部１１２は、指針キャップ１１における最外周部を含む所定範囲であって、文字板部材２のベース色に対して保護色で形成されている。キャップ保護色部１１２は、ドライバの視点（指針１の前方の視点）から、略円環状に見えるように形成されている。
【００２０】
一方、キャップ非保護色部１１１は、キャップ保護色部１１２よりも回転軸により近接した、指針キャップ１１における所定範囲であって、文字板部材２のベース色に対して非保護色で形成されている。キャップ非保護色部１１１は、ドライバの視点から、キャップ保護色部１１２に囲まれて略円形状に見えるように形成されている。
【００２１】
例えば、文字板部材２のベース色が黒色系であれば、キャップ保護色部１１２も黒色系とし、これに対して、キャップ非保護色部１１１は白色系とする。この場合、キャップ保護色部１１２は、文字板部材２のベース色と同様、黒色系にする必要があるが、キャップ非保護色部１１１は、白色系以外の例えば黄色系や青色系であってもよい。但し、黒色系のベース色の文字板部材２に、白色系の指針キャップ１１を組み合わせると、最も普及している黒色系のベース色の文字板を流用できるという点と、コントラストが最高になるという点で好ましい。すなわち、この色の組み合わせにより、より優れた経済性、意匠性及び視認性を満足させることが可能になる。
【００２２】
このような構成によって、ドライバの視点からは、図３に示すように、キャップ保護色部１１２が文字板部材２の一部のようにみえて、指針キャップ１１が実際の大きさよりも小さく視認されることがわかる。すなわち、付加部材なし且つ少ない付加工数で、指針キャップ１１を適度な大きさに見せることが可能になる。したがって、指針キャップを文字板と異系色にする場合、容易に所定の意匠性及び視認性も満足させることもできる。
【００２３】
続いて、図４〜図６を用いて、上記実施形態の変形例をいくつか示す。図４（Ａ）は一変形例を示す正面図であり、図４（Ｂ）〜図４（Ｄ）は図４（Ａ）の変形例の側面図である。図５（Ａ）は他の変形例を示す正面図であり、図５（Ｂ）は図５（Ａ）の変形例の側面図である。図６（Ａ）は更に他の変形例を示す正面図であり、図６（Ｂ）は図６（Ａ）の変形例の側面図である。
【００２４】
図４（Ａ）に示すように、この変形例の指針１ａにおいても、指針キャップ１１ａは基本的に、円環状のキャップ保護色部１１２ａと円形状のキャップ非保護色部１１１ａとから構成される。正確には、キャップ非保護色部１１１ａは、指針指示部１２ａを串刺しにしたような形状をしている。キャップ保護色部１１２ａは、円筒状のキャップ非保護色部１１１ａを搭載した、円錐台状をしている。
【００２５】
上面からは図４（Ａ）に示すようにみえる指針１ａも、実際には、キャップ保護色部１１２ａ１及びキャップ非保護色部１１１ａ１の高さ（図中縦方向の長さ）が同等の図４（Ｂ）に示すような指針１ａ１、キャップ保護色部１１２ａ２の高さがキャップ非保護色部１１１ａ２の高さよりも高い図４（Ｃ）に示すような指針１ａ２、キャップ保護色部１１２ａ３の高さがキャップ非保護色部１１１ａ３の高さよりも高く且つキャップ保護色部１１２ａ３の円筒部の割合が大きな図４（Ｄ）に示すような指針１ａ３のバリエーションが想定される。
【００２６】
これらのバリエーションは、指針キャップ１１ａが覆い隠すべき指針指示部１２ａの基端部の形状やバランサの大きさ等に依存する。なお、図４（Ｂ）〜図４（Ｄ）において、指針指示部１２ａ１、指針指示部１２ａ３及び指針指示部１２ａ３の底面には、ホットスタンプ層１２１が形成されている。また、キャップ保護色部１１２ａ（１１１ａ１〜３）及びキャップ非保護色部１１１ａ（１１２ａ１〜３）、ホットスタンプ層１２１の色の例は、図１〜図３で示した実施形態と同様である。
【００２７】
また、図５（Ａ）及び図５（Ｂ）に示すように、この変形例の指針１ｂにおいても、指針キャップ１１ｂは基本的に、円環状のキャップ保護色部１１２ｂと円形状のキャップ非保護色部１１１ｂとから構成される。正確には、キャップ保護色部１１２ｂ及びキャップ非保護色部１１１ｂは共に、指針指示部１２ｂで分割されたような形状をしている。指針指示部１２ｂの底面には、ホットスタンプ層１２１が形成されている。また、キャップ保護色部１１２ｂ及びキャップ非保護色部１１１ｂ、ホットスタンプ層１２１の色の例は、図１〜図３で示した実施形態と同様である。
【００２８】
また、図６（Ａ）及び図６（Ｂ）に示すように、この変形例の指針１ｃにおいても、指針キャップ１１ｃは基本的に、円環状のキャップ保護色部１１２ｃと円形状のキャップ非保護色部１１１ｃとから構成される。正確には、キャップ保護色部１１２ｃ及びキャップ非保護色部１１１ｃは共に、指針指示部１２ｃで分割されたような形状をしている。また、図６（Ｂ）からわかるように、指針キャップ１１ｃ全体が放物線状になだらかに連続する山状に形成されている。指針指示部１２ｃの底面には、ホットスタンプ層１２１が形成されている。また、キャップ保護色部１１２ｃ及びキャップ非保護色部１１１ｃ、ホットスタンプ層１２１の色の例は、図１〜図３で示した実施形態と同様である。
【００２９】
この他にも、指針指示部の基端部の形状やバランサの大きさ等や意匠的な観点から、指針指示部や指針キャップの形状が小変更された、本発明の主旨に含まれる指針が設計可能である。また、場合によっては、指針キャップは２トーンのみならず３トーン等にすることも可能である。
【００３０】
以上説明したように、本発明の実施形態によれば、指針キャップにおける最外周部を含む所定範囲である部位が文字板のベース色に対して保護色で形成され、これよりも回転軸により近接した指針キャップにおける所定範囲が、文字板のベース色に対して非保護色で形成される。したがって、ドライバの視点からは、指針キャップが実際の大きさよりも小さく視認される。すなわち、付加部材なし且つ少ない付加工数で、指針キャップを適度な大きさに見せることが可能になる。したがって、指針キャップを文字板と異系色にする場合、容易に所定の意匠性及び視認性も満足させることもできる。
【図面の簡単な説明】
【００３１】
【図１】本発明の一実施形態に係る指針キャップを擁するアナログ式計器を示す斜視図である。
【図２】図２（Ａ）及び図２（Ｂ）はそれぞれ、本発明の一実施形態に係る指針キャップの正面図及び側面図である。
【図３】図１のアナログ式計器の正面図である。
【図４】図４（Ａ）は一変形例を示す正面図であり、図４（Ｂ）〜図４（Ｄ）は図４（Ａ）の変形例の側面図である。
【図５】図５（Ａ）は他の変形例を示す正面図であり、図５（Ｂ）は図５（Ａ）の変形例の側面図である。
【図６】図６（Ａ）は更に他の変形例を示す正面図であり、図６（Ｂ）は図６（Ａ）の変形例の側面図である。
【図７】従来のこの種のアナログ式計器を示す正面図である。
【図８】図７の計器のバリエーションとして、想定されるアナログ式計器を示す正面図である。
【符号の説明】
【００３２】
１  指針
２  文字板部材
１１  指針キャップ
１２  指針指示部
１１１  キャップ非保護色部
１１２  キャップ保護色部
【図１】
2006242879.tif 000003
【図２】
2006242879.tif 000004
【図３】
2006242879.tif 000005
【図４】
2006242879.tif 000006
【図５】
2006242879.tif 000007
【図６】
2006242879.tif 000008
【図７】
2006242879.tif 000009
【図８】
2006242879.tif 000010